(57)【要約】【課題】使用されていない固定資産としての物品を容易にリユース可能とする。【解決手段】物品管理装置１は、所定の配置場所に対応付けられている所定端末から、固定資産として管理される物品に付されたタグ又は画像を読み取ることによって取得された当該物品を固定資産として識別する固定資産識別情報を含む納入完了情報を受け付ける納入受付部１２５と、物品を識別する物品識別情報と、物品の固定資産識別情報と、物品の配置場所を示す場所情報とを関連付けた固定資産管理情報において、当該納入完了情報に含まれる固定資産識別情報に関連付けられている場所情報を、所定の配置場所を示す場所情報に変更するとともに、固定資産管理情報に記憶された当該固定資産識別情報に対応する物品の物品識別情報を、当該物品をリユース用の物品として管理するためのリユース管理情報に記憶させる記憶制御部１２４と、を備える。【選択図】図２
2020190796.tif 000002
【特許請求の範囲】
【請求項１】
所定の配置場所に対応付けられている所定端末から、固定資産として管理される物品に付されたタグ又は画像を読み取ることによって取得された当該物品を固定資産として識別する固定資産識別情報を含む、当該物品の納入が完了したことを示す納入完了情報を受け付ける受付部と、
前記受付部が前記納入完了情報を受け付けると、前記物品を識別する物品識別情報と、前記物品の固定資産識別情報と、前記物品の配置場所を示す場所情報とを関連付けた固定資産管理情報において、当該納入完了情報に含まれる前記固定資産識別情報に関連付けられている前記場所情報を、前記所定の配置場所を示す場所情報に変更するとともに、前記固定資産管理情報に記憶された当該固定資産識別情報に対応する物品の前記物品識別情報を、当該物品をリユース用の物品として管理するためのリユース管理情報に含める記憶制御部と、
を備える物品管理装置。
【請求項２】
複数の前記配置場所のいずれかに対応付けられている端末から、前記物品識別情報が前記リユース管理情報に含まれている物品を使用することを要求するリユース要求を受け付けるリユース受付部をさらに備える、
請求項１に記載の物品管理装置。
【請求項３】
前記リユース受付部は、前記端末から前記リユース要求を受け付ける場合に、前記リユース要求が行われた物品の新たな配置場所を受け付け、
前記記憶制御部は、前記リユース受付部が前記リユース要求を受け付けると、前記リユース管理情報において、当該物品の物品識別情報に、前記リユース受付部が受け付けた新たな配置場所を示す場所情報を関連付けて記憶させる、
請求項２に記載の物品管理装置。
【請求項４】
前記リユース要求が行われた物品の新たな配置場所に対応付けられている端末から、前記リユース用の物品に付されたタグ又は画像から当該端末が読み取った前記固定資産識別情報を含む、当該リユース用の物品の移転登録要求を受け付ける移転登録受付部をさらに備え、
前記記憶制御部は、前記移転登録受付部が前記移転登録要求を受け付けると、前記固定資産管理情報において、当該移転登録要求が行われたリユース用の物品の固定資産識別情報に関連付けられている場所情報を新たな配置場所に変更する、
請求項３に記載の物品管理装置。
【請求項５】
前記記憶制御部は、前記移転登録受付部が前記移転登録要求を受け付けると、当該移転登録要求が行われたリユース用の物品に対応する前記リユース管理情報を消去する、
請求項４に記載の物品管理装置。
【請求項６】
複数の前記配置場所のいずれかに対応付けられている端末から、前記物品の前記所定の配置場所への納入が行われる前に、前記物品の現在の配置場所からの撤去の申込を受け付ける撤去申込受付部と、
前記撤去申込受付部が前記撤去の申込を受け付けた物品の撤去を許可するか否かを判定する判定部と、
前記判定部による判定結果を前記撤去の申込を行った端末に通知する通知部と、
をさらに備える、
請求項１から５のいずれか１項に記載の物品管理装置。
【請求項７】
前記通知部は、前記判定部が物品の撤去を許可すると判定した場合に、前記物品の配送先を前記所定の配置場所に決定し、前記判定結果と、決定した配送先を示す配送先情報とを、前記撤去の申込を行った端末に通知する、
請求項６に記載の物品管理装置。
【請求項８】
前記記憶制御部は、前記判定部が物品の納入を許可すると判定した場合に、前記固定資産管理情報において、当該物品に対応する前記固定資産識別情報に、前記物品の納入先を示す納入先場所情報として、前記所定の配置場所を示す場所情報を関連付け、前記受付部が前記納入完了情報を受け付けた場合に、当該納入完了情報に含まれる前記固定資産識別情報に前記納入先場所情報として前記所定の配置場所を示す場所情報が関連付けられているとき、当該納入完了情報に含まれる前記固定資産識別情報に関連付けられている前記場所情報を、前記所定の配置場所を示す場所情報に変更し、前記納入先場所情報として前記所定の配置場所を示す場所情報が関連付けられていないとき、当該納入完了情報に含まれる前記固定資産識別情報に関連付けられている前記場所情報を変更しないように制御する、
請求項６又は７に記載の物品管理装置。
【請求項９】
前記記憶制御部は、前記物品識別情報を前記リユース管理情報に含ませる場合に、前記リユース管理情報として、前記納入完了情報に含まれている前記固定資産識別情報と、当該物品識別情報と、当該物品識別情報の登録時刻とを関連付けて記憶させ、
前記リユース管理情報に含まれている前記登録時刻に基づいて、リユース用の物品として登録されてから所定期間経過した物品の前記固定資産識別情報を廃棄候補の物品の固定資産識別情報として通知する通知部をさらに備える、
請求項１から８のいずれか１項に記載の物品管理装置。
【請求項１０】
複数の配置場所のいずれかに対応付けられている端末から、固定資産として管理される物品に付されたタグ又は画像を読み取ることによって取得された当該物品の固定資産識別情報を受け付けるとともに、当該物品の撤去の申込を受け付ける撤去申込受付部と、
前記撤去申込受付部が前記撤去の申込を受け付けた物品の撤去を許可するか否かを判定する判定部と、
前記判定部が前記物品の撤去を許可すると判定すると、前記物品を識別する物品識別情報と、前記物品の固定資産識別情報と、前記物品の配置場所を示す場所情報とを関連付けた固定資産管理情報において、前記撤去申込受付部が受け付けた前記固定資産識別情報に関連付けられている物品の前記物品識別情報を、当該物品をリユース用の物品として管理するためのリユース管理情報に含める記憶制御部と、
を備える物品管理装置。
【請求項１１】
コンピュータが実行する、
所定の配置場所に対応付けられている所定端末から、固定資産として管理される物品に付されたタグ又は画像を読み取ることによって取得された当該物品を固定資産として識別する固定資産識別情報を含む、当該物品の納入が完了したことを示す納入完了情報を受け付けるステップと、
前記納入完了情報が受け付けられると、前記物品を識別する物品識別情報と、前記物品の固定資産識別情報と、前記物品の配置場所を示す場所情報とを関連付けた固定資産管理情報において、当該納入完了情報に含まれる前記固定資産識別情報に関連付けられている前記場所情報を、前記所定の配置場所を示す場所情報に変更するステップと、
前記納入完了情報が受け付けられると、前記固定資産管理情報に記憶された当該固定資産識別情報に対応する物品の前記物品識別情報を、当該物品をリユース用の物品として管理するためのリユース管理情報に含めるステップと、
を備える物品管理方法。
【発明の詳細な説明】
【技術分野】
【０００１】
本発明は、物品管理装置及び物品管理方法に関する。
【背景技術】
【０００２】
従来、システム上で固定資産の管理を行うことが行われている。例えば、特許文献１には、第１管理所在情報と固定資産情報とを関連付けて記憶しておき、固定資産に付されているＩＣタグから読み取られた固定資産情報とともに取得した第２管理所在情報が、当該固定資産情報に関連付けられて記憶されている第１管理所在情報と異なる場合に、第１管理所在情報を第２管理所在情報に更新するシステムが開示されている。特許文献１に記載のシステムでは、固定資産が移動した場合に、システム上での固定資産所在情報を速やかに変更することができる。
【先行技術文献】
【特許文献】
【０００３】
【特許文献１】特開２００６−１３９３５９号公報
【発明の概要】
【発明が解決しようとする課題】
【０００４】
ところで、固定資産の中には、施設から撤去された固定資産が存在する。撤去された固定資産の中には、他の施設においてリユース品として利用する価値がある固定資産も存在する。しかしながら、特許文献１に記載のシステムは、リユース可能な固定資産を管理しておらず、固定資産をリユースするのが困難であるという問題が生じていた。
【０００５】
そこで、本発明はこれらの点に鑑みてなされたものであり、使用されていない固定資産としての物品を容易にリユースすることができる物品管理装置及び物品管理方法を提供することを目的とする。
【課題を解決するための手段】
【０００６】
本発明の第１の態様に係る物品管理装置は、所定の配置場所に対応付けられている所定端末から、固定資産として管理される物品に付されたタグ又は画像を読み取ることによって取得された当該物品を固定資産として識別する固定資産識別情報を含む、当該物品の納入が完了したことを示す納入完了情報を受け付ける受付部と、前記受付部が前記納入完了情報を受け付けると、前記物品を識別する物品識別情報と、前記物品の固定資産識別情報と、前記物品の配置場所を示す場所情報とを関連付けた固定資産管理情報において、当該納入完了情報に含まれる前記固定資産識別情報に関連付けられている前記場所情報を、前記所定の配置場所を示す場所情報に変更するとともに、前記固定資産管理情報に記憶された当該固定資産識別情報に対応する物品の前記物品識別情報を、当該物品をリユース用の物品として管理するためのリユース管理情報に含める記憶制御部と、を備える。
【０００７】
前記物品管理装置は、複数の前記配置場所のいずれかに対応付けられている端末から、前記物品識別情報が前記リユース管理情報に含まれている物品を使用することを要求するリユース要求を受け付けるリユース受付部をさらに備えてもよい。
【０００８】
前記リユース受付部は、前記端末から前記リユース要求を受け付ける場合に、前記リユース要求が行われた物品の新たな配置場所を受け付け、前記記憶制御部は、前記リユース受付部が前記リユース要求を受け付けると、前記リユース管理情報において、当該物品の物品識別情報に、前記リユース受付部が受け付けた新たな配置場所を示す場所情報を関連付けて記憶させてもよい。
【０００９】
前記物品管理装置は、前記リユース要求が行われた物品の新たな配置場所に対応付けられている端末から、前記リユース用の物品に付されたタグ又は画像から当該端末が読み取った前記固定資産識別情報を含む、当該リユース用の物品の移転登録要求を受け付ける移転登録受付部をさらに備え、前記記憶制御部は、前記移転登録受付部が前記移転登録要求を受け付けると、前記固定資産管理情報において、当該移転登録要求が行われたリユース用の物品の固定資産識別情報に関連付けられている場所情報を新たな配置場所に変更してもよい。
【００１０】
前記記憶制御部は、前記移転登録受付部が前記移転登録要求を受け付けると、当該移転登録要求が行われたリユース用の物品に対応する前記リユース管理情報を消去してもよい。
【００１１】
前記物品管理装置は、複数の前記配置場所のいずれかに対応付けられている端末から、前記物品の前記所定の配置場所への納入が行われる前に、前記物品の現在の配置場所からの撤去の申込を受け付ける撤去申込受付部と、前記撤去申込受付部が前記撤去の申込を受け付けた物品の撤去を許可するか否かを判定する判定部と、前記判定部による判定結果を前記撤去の申込を行った端末に通知する通知部と、をさらに備えてもよい。
【００１２】
前記通知部は、前記判定部が物品の撤去を許可すると判定した場合に、前記物品の配送先を前記所定の配置場所に決定し、前記判定結果と、決定した配送先を示す配送先情報とを、前記撤去の申込を行った端末に通知してもよい。
【００１３】
前記記憶制御部は、前記判定部が物品の納入を許可すると判定した場合に、前記固定資産管理情報において、当該物品に対応する前記固定資産識別情報に、前記物品の納入先を示す納入先場所情報として、前記所定の配置場所を示す場所情報を関連付け、前記受付部が前記納入完了情報を受け付けた場合に、当該納入完了情報に含まれる前記固定資産識別情報に前記納入先場所情報として前記所定の配置場所を示す場所情報が関連付けられているとき、当該納入完了情報に含まれる前記固定資産識別情報に関連付けられている前記場所情報を、前記所定の配置場所を示す場所情報に変更し、前記納入先場所情報として前記所定の配置場所を示す場所情報が関連付けられていないとき、当該納入完了情報に含まれる前記固定資産識別情報に関連付けられている前記場所情報を変更しないように制御してもよい。
【００１４】
前記記憶制御部は、前記物品識別情報を前記リユース管理情報に含ませる場合に、前記リユース管理情報として、前記納入完了情報に含まれている前記固定資産識別情報と、当該物品識別情報と、当該物品識別情報の登録時刻とを関連付けて記憶させ、前記物品管理装置は、前記リユース管理情報に含まれている前記登録時刻に基づいて、リユース用の物品として登録されてから所定期間経過した物品の前記固定資産識別情報を廃棄候補の物品の固定資産識別情報として通知する通知部をさらに備えてもよい。
【００１５】
本発明の第２の態様に係る物品管理装置は、複数の配置場所のいずれかに対応付けられている端末から、固定資産として管理される物品に付されたタグ又は画像を読み取ることによって取得された当該物品の固定資産識別情報を受け付けるとともに、当該物品の撤去の申込を受け付ける撤去申込受付部と、前記撤去申込受付部が前記撤去の申込を受け付けた物品の撤去を許可するか否かを判定する判定部と、前記判定部が前記物品の撤去を許可すると判定すると、前記物品を識別する物品識別情報と、前記物品の固定資産識別情報と、前記物品の配置場所を示す場所情報とを関連付けた固定資産管理情報において、前記撤去申込受付部が受け付けた前記固定資産識別情報に関連付けられている物品の前記物品識別情報を、当該物品をリユース用の物品として管理するためのリユース管理情報に含める記憶制御部と、を備える。
【００１６】
本発明の第３の態様に係る物品管理方法は、コンピュータが実行する、所定の配置場所に対応付けられている所定端末から、固定資産として管理される物品に付されたタグ又は画像を読み取ることによって取得された当該物品を固定資産として識別する固定資産識別情報を含む、当該物品の納入が完了したことを示す納入完了情報を受け付けるステップと、前記納入完了情報が受け付けられると、前記物品を識別する物品識別情報と、前記物品の固定資産識別情報と、前記物品の配置場所を示す場所情報とを関連付けた固定資産管理情報において、当該納入完了情報に含まれる前記固定資産識別情報に関連付けられている前記場所情報を、前記所定の配置場所を示す場所情報に変更するステップと、前記納入完了情報が受け付けられると、前記固定資産管理情報に記憶された当該固定資産識別情報に対応する物品の前記物品識別情報を、当該物品をリユース用の物品として管理するためのリユース管理情報に含めるステップと、を備える。
【発明の効果】
【００１７】
本発明によれば、使用されていない固定資産としての物品を容易にリユースすることができるという効果を奏する。
【図面の簡単な説明】
【００１８】
【図１】本実施形態に係る物品管理装置の概要を示す図である。
【図２】本実施形態に係る物品管理装置の構成を示す図である。
【図３】本実施形態に係る固定資産管理情報の一例を示す図である。
【図４】本実施形態に係るリユース管理情報の一例を示す図である。
【図５】本実施形態に係る物品の撤去申込を受け付けてから物品が倉庫に納入されるまでの処理の流れを示すシーケンス図である。
【図６】本実施形態に係る物品のリユースを受け付けてから物品が新たな配置場所に移転されるまでの処理の流れを示すシーケンス図である。
【発明を実施するための形態】
【００１９】
［物品管理装置１の概要］
図１は、本実施形態に係る物品管理装置１の概要を示す図である。物品管理装置１は、固定資産として管理される物品及びリユース用の物品を管理するコンピュータである。本実施形態において、物品管理装置１は、１台のコンピュータであるものとするが、これに限らず、複数台のコンピュータにより構成されるものであってもよい。
【００２０】
本実施形態において、固定資産として管理される物品は、例えば、固定資産の所有者が管理する複数の施設のいずれかに配置されている。また、固定資産として管理される物品には、固定資産を識別する固定資産識別情報を示す画像、又は当該固定資産識別情報を記憶するＩＣタグが付されている。リユース用の物品は、固定資産として管理される物品のうち、一部の物品であり、所定の配置場所としての倉庫に配置される。以下の説明において、固定資産として管理される物品を、単に物品ともいう。
【００２１】
また、複数の施設における管理者や、施設から物品を撤去する撤去業者は、端末２を所持している。端末２は、例えばスマートフォンやハンディターミナルである。端末２は、物品管理装置１と通信を行うための連携アプリケーションがインストールされているとともに、自身が使用される施設の場所を示す場所情報と予め関連付けられている。
【００２２】
例えば、施設において物品が使用されなくなり、当該物品を撤去して倉庫への移動を行う場合、施設における物品の管理者や撤去業者等は、物品に付されているＩＣタグ又は画像を端末２に読み取らせて、固定資産識別情報を端末２に取得させる。端末２は、固定資産識別情報を取得すると、当該固定資産識別情報を含み、物品の撤去を申し込む撤去申込情報を物品管理装置１に送信する。物品管理装置１は、撤去申込情報を受け付けると、撤去を許可するか否かの判定を行い、判定結果を端末２に通知する。
【００２３】
撤去を許可する通知が端末２に行われると、物品は倉庫に配送される。倉庫は複数存在しており、複数の倉庫のそれぞれにおける物品の管理者等は、所定端末３を所持している。所定端末３は、例えばスマートフォンやハンディターミナルである。所定端末３は、端末２と同様に連携アプリケーションがインストールされているとともに、自身が使用される倉庫の場所を示す場所情報と予め関連付けられている。
【００２４】
倉庫に物品が納入されると、倉庫における物品の管理者等は、納入された物品に付されているＩＣタグ又は画像を所定端末３に読み取らせて、固定資産識別情報を所定端末３に取得させる。
【００２５】
所定端末３は、固定資産識別情報を取得すると、当該固定資産識別情報を含む納入完了情報を物品管理装置１に送信する。物品管理装置１は、納入完了情報を受信すると、固定資産を管理する固定資産管理情報において、受信した納入完了情報に含まれる固定資産識別情報に対応する物品の配置場所を倉庫に変更する。
【００２６】
また、物品管理装置１は、納入完了情報を受信すると、リユース用の物品を管理するリユース管理情報に、納入完了情報に含まれる固定資産識別情報に対応する物品を登録する。このようにすることで、例えば、他の施設の担当者等は、リユース管理情報を参照することにより、倉庫に移動された固定資産としての物品を容易にリユースすることができる。
【００２７】
［物品管理装置１の構成］
続いて、物品管理装置１の構成を説明する。図２は、本実施形態に係る物品管理装置１の構成を示す図である。図２に示すように、物品管理装置１は、記憶部１１と、制御部１２とを備える。
【００２８】
記憶部１１は、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を含む記憶媒体である。記憶部１１は、制御部１２が実行するプログラムを記憶している。例えば、記憶部１１は、制御部１２を、撤去申込受付部１２１、判定部１２２、通知部１２３、記憶制御部１２４、納入受付部１２５、リユース受付部１２６、及び移転登録受付部１２７として機能させるプログラムを記憶している。
【００２９】
また、記憶部１１は、固定資産を管理するための固定資産管理情報と、物品をリユース用の物品として管理するためのリユース管理情報とを記憶する。図３は、本実施形態に係る固定資産管理情報の一例を示す図である。図３に示すように、固定資産管理情報は、物品の固定資産識別情報と、物品を識別する物品識別情報と、物品の配置場所を示す場所情報とを関連付けた情報である。
【００３０】
また、固定資産管理情報において、固定資産識別情報には、物品の撤去が許可されているか否かを特定するための撤去許可情報が関連付けられている。物品の撤去が許可されている場合、撤去許可情報には、撤去が許可されていることを示す撤去許可情報として、「撤去可」が格納される。また、物品の倉庫への納入が許可されていない場合、撤去許可情報には、情報が格納されない。なお、納入が許可されていないことを示す納入不許可情報として「撤去許可」が格納されていてもよい。
また、固定資産識別情報には、物品が撤去される場合の物品の納入先を示す納入先情報が関連付けられている。
【００３１】
図４は、本実施形態に係るリユース管理情報の一例を示す図である。図４に示すように、リユース管理情報は、物品を識別する物品識別情報と、物品の固定資産識別情報と、物品の配置場所を示す場所情報と、リユース管理情報への物品の登録時刻とを関連付けた情報である。ここで、物品識別情報には、メーカ、製造時期、型番、サイズ、重量、消費電力量、スペック等の物品を特定するための情報が関連付けられていてもよい。
【００３２】
なお、本実施形態では、固定資産管理情報と、リユース管理情報とは、記憶部１１に記憶されることとしたが、これに限らない。固定資産管理情報と、リユース管理情報とは、物品管理装置１とは異なる外部装置に記憶されていてもよい。この場合において、固定資産管理情報と、リユース管理情報とは、同一の外部装置に記憶されていてもよいし、それぞれ異なる外部装置に記憶されていてもよい。
【００３３】
制御部１２は、例えばＣＰＵ（Ｃｅｎｔｒａｌ  Ｐｒｏｃｅｓｓｉｎｇ  Ｕｎｉｔ）である。制御部１２は、記憶部１１に記憶されたプログラムを実行することにより、撤去申込受付部１２１、判定部１２２、通知部１２３、記憶制御部１２４、納入受付部１２５、リユース受付部１２６、及び移転登録受付部１２７として機能する。
【００３４】
撤去申込受付部１２１は、複数の配置場所のいずれかに対応付けられている端末２から、物品の所定の配置場所としての倉庫への納入が行われる前に、当該物品の撤去の申し込みを受け付ける。
【００３５】
例えば、端末２は、物品管理用アプリケーションが実行されている状態において撤去申込操作が行われると、自身に設けられている撮像部又は近距離無線通信部を制御することにより、撤去申込対象の物品に付されている画像又はＩＣタグから固定資産識別情報を読み取る。端末２は、固定資産識別情報を読み取ると、自身に関連付けられている場所情報と、当該固定資産識別情報とを含み、現在の配置場所からの当該物品の撤去を申込む撤去申込情報を物品管理装置１に送信する。撤去申込受付部１２１は、撤去申込情報を受信することにより、撤去の申し込みを受け付ける。
【００３６】
判定部１２２は、撤去申込受付部１２１が撤去の申し込みを受け付けた物品の撤去を許可するか否かを判定する。具体的には、判定部１２２は、記憶部１１に記憶されている固定資産管理情報を参照し、端末２から受信した撤去申込情報に含まれている固定資産識別情報に関連付けられている撤去許可情報として「撤去可」が関連付けられているか否かを判定する。判定部１２２は、「撤去可」が関連付けられている場合、物品の撤去を許可すると判定し、「撤去可」が関連付けられていない場合、物品の撤去を許可しないと判定する。
【００３７】
なお、判定部１２２は、固定資産管理情報を参照して物品の撤去を許可するか否かを判定したが、これに限らない。判定部１２２は、固定資産管理情報の管理者等から、物品の撤去を許可するか否かの選択を受け付けることにより、当該物品の撤去を許可するか否かを判定してもよい。
【００３８】
また、記憶部１１は、物品の固定資産識別情報と、当該物品の撤去を許可する端末２の識別情報とを関連付けて撤去許可端末情報として記憶してもよい。この場合、判定部１２２は、撤去申込を行った端末２の識別情報と、撤去申込情報に含まれている固定資産識別情報とが関連付けられて撤去許可端末情報として記憶部１１に記憶されていることを、撤去の許可の条件に含めるようにしてもよい。このようにすることで、正当な撤去業者によって撤去申込が行われた場合のみ、撤去を許可することができる。
【００３９】
通知部１２３は、判定部１２２による判定結果を、撤去の申し込みを行った端末２に通知する。具体的には、通知部１２３は、判定部１２２が物品の撤去を許可すると判定した場合に、物品の配送先を倉庫に決定する。ここで、記憶部１１には、施設を示す場所情報と、当該施設の物品の納入先である近隣の倉庫とを関連付けた近隣倉庫情報が記憶されている。通知部１２３は、記憶部１１に記憶されている近隣倉庫情報を参照し、撤去申込情報に含まれている場所情報に関連付けられている倉庫を、物品の配送先の倉庫に決定する。
【００４０】
通知部１２３は、判定結果と、決定した配送先の倉庫を示す配送先情報とを、撤去の申し込みを行った端末２に通知する。物品の管理者等は、通知された判定結果が、物品の撤去が許可されたことを示している場合、当該物品を、通知部１２３が通知した配送先の倉庫に配送する。
【００４１】
記憶制御部１２４は、判定部１２２が物品の撤去を許可すると判定した場合に、固定資産管理情報において、当該物品に対応する固定資産識別情報に関連付けられている納入先場所情報に、納入先の倉庫を示す場所情報を格納することにより、当該固定資産識別情報と当該納入先とを関連付ける。図３に示す例では、固定資産識別情報「Ａ０００２」に対応する納入先場所情報に、物品の納入先である倉庫の場所情報「Ｏ倉庫」が格納されていることが確認できる。
【００４２】
物品が倉庫に配送された後、納入受付部１２５は、倉庫における物品の管理者等が使用する所定端末３から、物品に付されたタグ又は画像を読み取ることによって取得された固定資産識別情報を含む、当該物品の納入が完了したことを示す納入完了情報を受け付ける。
【００４３】
例えば、所定端末３は、物品管理用アプリケーションが実行されている状態において納入が完了したことを登録するための納入完了操作が行われると、自身に設けられている撮像部又は近距離無線通信部を制御することにより、納入された物品に付されている画像又はＩＣタグから固定資産識別情報を読み取る。所定端末３は、固定資産識別情報を読み取ると、自身に関連付けられている場所情報と、当該固定資産識別情報とを含み、物品の納入が完了したことを示す納入完了情報を物品管理装置１に送信する。納入受付部１２５は、納入完了情報を受信することにより、納入完了情報を受け付ける。
【００４４】
記憶制御部１２４は、納入受付部１２５が納入完了情報を受け付けると、固定資産管理情報及びリユース管理情報の更新を行う。具体的には、記憶制御部１２４は、納入受付部１２５が納入完了情報を受け付けると、固定資産管理情報において、当該納入完了情報に含まれる固定資産識別情報に関連付けられている場所情報を、倉庫を示す場所情報に変更するとともに、納入先場所情報に格納されている場所情報を消去する。
【００４５】
ここで、記憶制御部１２４は、納入受付部１２５が納入完了情報を受け付けた場合に、当該納入完了情報に含まれる固定資産識別情報に関連付けられている納入先場所情報が、当該倉庫の場所情報を示しているとともに、撤去許可情報が撤去を許可することを示している場合に、当該納入完了情報に含まれる固定資産識別情報に関連付けられている配置場所情報を、倉庫を示す場所情報に変更する。
【００４６】
また、記憶制御部１２４は、納入完了情報に含まれる固定資産識別情報に関連付けられている納入先場所情報が、当該倉庫の場所情報を示していない場合、又は、撤去許可情報が撤去を許可することを示していない場合に、固定資産識別情報に関連付けられている場所情報を変更しないように制御する。そして、通知部１２３は、納入された物品の場所情報を、倉庫を示す場所情報に変更することができないことを示すエラー情報を所定端末３に通知する。このようにすることで、物品管理装置１は、納入が許可されていない物品が誤って倉庫に保管されてしまうことを抑制し、倉庫の管理者等に返品等を対応させることができる。
【００４７】
また、記憶制御部１２４は、固定資産管理情報に記憶された、納入完了情報に含まれている固定資産識別情報に関連付けられている物品識別情報を特定する。そして、記憶制御部１２４は、納入完了情報に含まれている固定資産識別情報と、特定した物品識別情報と、倉庫を示す場所情報と、登録時刻としての現在時刻とを関連付けて、リユース管理情報として記憶部１１に記憶させる。
【００４８】
リユース受付部１２６は、複数の配置場所のいずれかに対応付けられている端末２から、物品識別情報がリユース管理情報に含まれている物品を使用することを要求するリユース要求を受け付ける。具体的には、まず、リユース受付部１２６は、端末２から、リユース管理情報の取得要求を受け付けると、リユース管理情報を含み、物品識別情報の選択を受け付けるリユース受付画面を当該端末２に表示させる。
【００４９】
リユース受付部１２６は、端末２からリユース管理情報の取得要求を受け付ける場合に、端末２に対応付けられている場所情報を受け付けてもよい。そして、リユース受付部１２６は、記憶部１１に記憶されている近隣倉庫情報を参照し、受け付けた場所情報に関連付けられている倉庫を特定し、当該倉庫に対応するリユース管理情報を含むとともに、当該倉庫に対応しないリユース管理情報を含まないリユース受付画面を端末２に表示させてもよい。このようにすることで、端末２の使用者に、近隣の倉庫に配置されている物品をリユース品として選択させることができる。
【００５０】
なお、納入受付部１２５は、物品の納入を受け付ける場合に、所定端末３から、当該物品をリユースできるか否かの選択を受け付けるようにしてもよい。そして、記憶制御部１２４は、納入受付部１２５が受け付けた、物品をリユースできるか否かを示す情報を、リユース管理情報に含めるようにしてもよい。リユース受付部１２６は、端末２からリユース管理情報の取得要求を受け付けると、リユースできない物品に対応するリユース管理情報をリユース受付画面に含めないようにしてもよい。このようにすることで、物品管理装置１は、リユースできない商品がリユース品として選択されてしまうことを防止することができる。
【００５１】
端末２は、リユース受付画面において物品識別情報の選択を受け付けると、選択された物品識別情報と、端末２に関連付けられている場所情報を含むリユース要求を物品管理装置１に送信する。リユース受付部１２６は、端末２からリユース要求を受信することにより、リユース要求を受け付ける。
【００５２】
ここで、リユース受付部１２６は、端末２からリユース要求を受け付ける場合に、リユース要求が行われた物品の新たな配置場所を受け付けてもよい。この場合、例えば、リユース受付部１２６は、リユース要求に含まれる場所情報が示す配置場所を、リユース要求が行われた物品の新たな配置場所として受け付ける。記憶制御部１２４は、リユース受付部１２６がリユース要求を受け付けると、リユース管理情報において、リユース要求に含まれる物品識別情報に、リユース受付部１２６が受け付けた新たな配置場所を示す場所情報を記憶させる。また、記憶制御部１２４は、リユース受付部１２６がリユース要求を受け付けると、リユース要求を行った端末２の識別情報と、リユース要求に含まれる物品識別情報に対応する固定資産識別情報とを関連付けて、移転予定情報として記憶部１１に記憶させる。
【００５３】
通知部１２３は、リユース受付部１２６がリユース要求を受け付けると、倉庫に対応付けられている所定端末３に、リユース要求が行われた物品を新たな配置場所に配送することを指示する配送指示情報を送信することにより、配送指示を通知する。倉庫における物品管理者等は、所定端末３に通知された配送指示情報を確認し、リユース要求が行われた物品を新たな配置場所に配送する。
【００５４】
物品が倉庫から新たな配置場所に配送された後、移転登録受付部１２７は、リユース要求が行われた物品の新たな配置場所に対応付けられている端末２から、リユース用の物品に付されたタグ又は画像から当該端末２が読み取った固定資産識別情報を含む、当該リユース用の物品の移転登録要求を受け付ける。
【００５５】
例えば、端末２は、物品管理用アプリケーションが実行されている状態において、リユース用の物品の移転が完了したことを登録するための移転登録操作が行われると、自身に設けられている撮像部又は近距離無線通信部を制御することにより、移転された物品に付されている画像又はＩＣタグから固定資産識別情報を読み取る。端末２は、固定資産識別情報を読み取ると、自身に関連付けられている場所情報と、当該固定資産識別情報とを含み、物品の移転が完了したことを示す移転登録要求を物品管理装置１に送信する。移転登録受付部１２７は、移転登録要求を受信することにより、移転登録要求を受け付ける。
【００５６】
記憶制御部１２４は、移転登録受付部１２７が移転登録要求を受け付けると、固定資産管理情報において、移転登録要求が行われたリユース用の物品の固定資産識別情報に関連付けられている場所情報を、新たな配置場所を示す場所情報に変更する。また、記憶制御部１２４は、移転登録受付部１２７が移転登録要求を受け付けると、移転登録要求が行われたリユース用の物品に対応するリユース管理情報を消去する。
【００５７】
ここで、記憶制御部１２４は、移転登録要求に含まれている固定資産識別情報と、移転登録要求を行った端末２の識別情報とが関連付けられて移転予定情報として記憶されている場合に、移転登録を許可し、移転登録要求が行われたリユース用の物品の固定資産識別情報に関連付けられている場所情報を、新たな配置場所を示す場所情報に変更してもよい。
【００５８】
通知部１２３は、リユース管理情報に関連付けて記憶されている登録時刻に基づいて、リユース用の物品として登録されてから所定期間経過した物品の固定資産識別情報を、廃棄候補の物品の固定資産識別情報として通知する。通知部１２３は、例えば、固定資産の管理者が使用する管理者端末（不図示）に、廃棄候補の物品の固定資産識別情報を通知する。このようにすることで、固定資産の管理者は、廃棄候補の物品を確認し、当該物品を除却するか否かを検討することができる。
【００５９】
［物品管理装置１の処理の流れ］
続いて、物品管理装置１における処理の流れについて説明する。図５は、本実施形態に係る物品の撤去申込を受け付けてから物品が倉庫に納入されるまでの処理の流れを示すシーケンス図である。
【００６０】
まず、端末２は、物品管理装置１に撤去申込情報を送信する（Ｓ１０）。物品管理装置１の撤去申込受付部１２１は、撤去申込情報を受け付ける。
【００６１】
続いて、判定部１２２は、撤去申込情報に対応する物品の撤去を許可するか否かの判定を行う（Ｓ２０）。図５に示す例では、判定部１２２は、物品の撤去を許可するものとする。通知部１２３は、物品の撤去が許可されたことに応じて、当該物品の配送先を決定する（Ｓ３０）。そして、通知部１２３は、判定結果と、物品の配送先を示す配送先情報を、撤去申込を行った端末２に送信する（Ｓ４０）。
【００６２】
物品が倉庫に配送された後、倉庫に対応する所定端末３は、納入完了情報を物品管理装置１に送信する（Ｓ５０）。物品管理装置１の納入受付部１２５は、納入完了情報を受け付ける。
【００６３】
続いて、記憶制御部１２４は、固定資産管理情報において、納入完了情報に含まれる固定資産識別情報に関連付けられている場所情報を、倉庫を示す場所情報に変更するとともに（Ｓ６０）、納入完了情報に対応する物品のリユース管理情報を記憶部１１に記憶させる（Ｓ７０）。
【００６４】
図６は、本実施形態に係る物品のリユースを受け付けてから物品が新たな配置場所に移転されるまでの処理の流れを示すシーケンス図である。
【００６５】
まず、端末２は、物品管理装置１にリユース管理情報の取得要求を送信する（Ｓ１１０）。物品管理装置１のリユース受付部１２６は、リユース管理情報を含むリユース受付画面を生成して端末２に送信する（Ｓ１２０）。
【００６６】
端末２は、物品管理装置１から受信したリユース受付画面を自身の表示部に表示させ、リユースする物品の選択を受け付ける。端末２は、選択された物品の物品識別情報と、端末２に対応する場所情報とを含むリユース要求を物品管理装置１に送信する（Ｓ１３０）。リユース受付部１２６は、リユース要求を受け付ける。
【００６７】
通知部１２３は、リユース受付部１２６がリユース要求を受け付けると、倉庫に対応付けられている所定端末３に、リユース要求が行われた物品を新たな配置場所に配送することを指示する配送指示情報を送信する（Ｓ１４０）。これにより、倉庫における物品管理者等は、リユース要求が行われた物品を新たな配置場所に配送する。
【００６８】
物品が倉庫から新たな配置場所に配送された後、リユース要求が行われた物品の新たな配置場所に対応付けられている端末２は、移転登録要求を物品管理装置１に送信する（Ｓ１５０）。物品管理装置１の移転登録受付部１２７は、移転登録要求を受け付ける。
【００６９】
続いて、記憶制御部１２４は、固定資産管理情報において、納入完了情報に含まれる固定資産識別情報に関連付けられている場所情報を、新たな配置場所を示す場所情報に変更するとともに（Ｓ１６０）、納入完了情報に対応する物品のリユース管理情報を記憶部１１から消去する（Ｓ１７０）。
【００７０】
［変形例１］
以上の説明においては、記憶制御部１２４は、判定部１２２が物品の撤去を許可すると判定すると、当該物品の物品識別情報と、当該物品の固定資産識別情報と、当該物品の配置場所を示す場所情報とを関連付けた固定資産管理情報において、撤去申込受付部１２１が受け付けた撤去申込情報に含まれている固定資産識別情報に関連付けられている物品の物品識別情報をリユース管理情報に含めるようにしてもよい。
【００７１】
この場合、記憶制御部１２４は、判定部１２２が物品の撤去を許可すると判定すると、撤去の申し込みを受けた物品の固定資産識別情報と、当該物品の物品識別情報と、撤去の申し込みを行った端末２に対応付けられている場所情報、すなわち、物品が倉庫に納入される前の施設を示す場所情報とを関連付けてリユース管理情報に記憶させる。
【００７２】
リユース受付部１２６は、端末２から、リユース管理情報の取得要求を受け付けると、物品が倉庫に納入される前の施設を示す場所情報に対応するリユース管理情報を含むリユース受付画面を、当該端末２に表示させる。このようにすることで、端末２の使用者は、倉庫に納入される前の物品についてもリユース品として選択することができる。
【００７３】
［変形例２］
また、以上の説明においては、固定資産管理情報が物品の固定資産識別情報と、物品を識別する物品識別情報と、物品の配置場所を示す場所情報とを関連付けた情報であることとしたが、固定資産識別情報に固定資産額が関連付けられていてもよい。この場合、リユース受付部１２６は、リユースの要求を受け付ける場合に、リユースの要求に対応する物品の固定資産額の変更を受け付けたり、減価償却額を受け付けて固定資産額を減額したりしてもよい。
【００７４】
［変形例３］
また、以上の説明においては、リユース受付部１２６は、複数の配置場所のいずれかに対応付けられている端末２からリユース要求を受け付けたがこれに限らない。リユース受付部１２６は、リユース要求を受け付ける前に、端末２から、予め、所望するリユース品の物品識別情報や種別や個数の登録を受け付けておき、これらの情報と、端末２の識別情報とを関連付けて所望品情報として記憶部１１に記憶させるようにしてもよい。そして、通知部１２３は、所望品情報に含まれている物品識別情報や種別に対応する物品が新たにリユース管理情報に登録された場合に、当該物品が登録されたことを、端末２に通知するようにしてもよい。このようにすることで、端末２を使用する施設の物品の管理者等は、リユース品を速やかに移転するように手配することができる。
【００７５】
［本実施形態における効果］
以上説明したように、本実施形態に係る物品管理装置１は、所定の配置場所に対応付けられている所定端末３から、固定資産として管理される物品に付されたタグ又は画像を読み取ることによって取得された固定資産識別情報を含む、当該物品の納入が完了したことを示す納入完了情報を受け付ける。物品管理装置１は、納入完了情報を受け付けると、物品の物品識別情報と、固定資産識別情報と、配置場所を示す場所情報とを関連付けた固定資産管理情報において、当該納入完了情報に含まれる固定資産識別情報に関連付けられている前記場所情報を、前記所定の配置場所を示す場所情報に変更するとともに、固定資産管理情報に記憶された当該固定資産識別情報に対応する物品の前記物品識別情報を、当該物品をリユース用の物品として管理するためのリユース管理情報に含める。このようにすることで、施設の担当者等は、リユース管理情報を参照することにより、倉庫に移動された固定資産としての物品を容易にリユースすることができる。
【００７６】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００７７】
１・・・物品管理装置、１１・・・記憶部、１２・・・制御部、１２１・・・撤去申込受付部、１２２・・・判定部、１２３・・・通知部、１２４・・・記憶制御部、１２５・・・納入受付部、１２６・・・リユース受付部、１２７・・・移転登録受付部、２・・・端末、３・・・所定端末
【図１】
2020190796.tif 000003
【図２】
2020190796.tif 000004
【図３】
2020190796.tif 000005
【図４】
2020190796.tif 000006
【図５】
2020190796.tif 000007
【図６】
2020190796.tif 000008